【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
音声信号を符号化する方法であって、
複数の独立音声信号を表現するデータであって、音声データの各ソースフレームシーケンスを含む各音声信号を表現するデータにアクセスすることと、
前記ソースフレームシーケンスをターゲットフレームシーケンスにマージすることと、
を含み、
前記各ソースフレームシーケンスの各ソースフレームは、前記ソースフレームの前記音声データの複数のコピーを含み、前記ソースフレームの前記音声データの各コピーは、関連品質レベルを有し、各コピーの前記品質レベルは、最高品質レベルから最低品質レベルに及ぶ所定の品質レベル範囲の構成要素であり、
前記ターゲットフレームは、前記ターゲットフレーム内に複数のターゲットチャネルを含み、前記マージすることは、各ターゲットフレームおよび複数の対応ソースフレームに対して、品質レベルを選択し、かつ前記選択された品質レベルにおける前記複数の対応ソースフレームの前記音声データの前記コピーの各々を、前記各ターゲットフレーム内の別個のターゲットチャネルの各々に割り当てることを含む、方法。
【請求項２】
前記ソースフレームの前記音声データの各コピーは、１つ以上の小数仮数グループを含み、各小数仮数グループは完全である、請求項１に記載の方法。
【請求項３】
前記アクセスされたソースフレームシーケンスのうちの第１シーケンスは、非サイレント音声データの連続ソースを含み、前記アクセスされたソースフレームシーケンスのうちの第２シーケンスは、サイレンスを表現する音声データのシーケンスを含む非サイレント音声データのエピソードソースを含む、請求項１に記載の方法。
【請求項４】
前記アクセスされたソースフレームシーケンスのうちの第１シーケンスは、サイレンスを表現する音声データのシーケンスを含む非サイレント音声データの第１エピソードソースを含み、前記アクセスされたソースフレームシーケンスのうちの第２シーケンスは、サイレンスを表現する音声データのシーケンスを含む非サイレント音声データの第２エピソードソースを含む、請求項１に記載の方法。
【請求項５】
前記アクセスされたソースフレームシーケンスのうちの第１シーケンスは、非サイレント音声データの第１連続ソースを含み、前記アクセスされたソースフレームシーケンスのうちの第２シーケンスは、非サイレント音声データの第２連続ソースを含む、請求項１に記載の方法。
【請求項６】
音声信号を符号化する方法であって、
複数の独立ソースから音声データを受信することと、
各独立ソースからの前記音声データを各ソースフレームシーケンスに符合化して、複数の、音声データのソースフレームシーケンスを作成することと、
前記複数のソースフレームシーケンスをターゲットフレームシーケンスにマージすることと、
を含み、
各ソースフレームシーケンスの各ソースフレームは、前記ソースフレームの前記音声データの複数のコピーを含み、前記ソースフレームの前記音声データの各コピーは、別個の関連品質レベルを有し、各コピーの前記品質レベルは、最高品質レベルから最低品質レベルに及ぶ所定の品質レベル範囲の構成要素であり、
前記ターゲットフレームは、前記ターゲットフレーム内に複数の独立ターゲットチャネルを含み、各ソースフレームシーケンスは、前記ターゲットフレーム内の前記複数の独立ターゲットチャネルのうちの１つ以上のターゲットチャネルに一意的に割り当てられる、方法。
【請求項７】
指令を受信することと、
前記ターゲットフレームシーケンスを伝送することと、をさらに含む、請求項６に記載の方法。
【請求項８】
各独立ソースからの前記音声データは、パルス符号変調ビットストリームである、請求項６に記載の方法。
【請求項９】
前記パルス符号変調ビットストリームは、ＷＡＶ、Ｗ６４、ＡＵ、またはＡＩＦＦファイルである、請求項８に記載の方法。
【請求項１０】
前記音声データを符号化することは、
各ソースフレームシーケンスのフレームに対して、前記フレームの複数のコピーを生成し、各コピーは、関連品質レベルを有し、各コピーの前記品質レベルは、最高品質レベルから最低品質レベルに及ぶ所定の品質レベル範囲の構成要素である、請求項６に記載の方法。
【請求項１１】
前記音声データを符号化することは、
各コピーに関して、ビット割付けプロセスを実行することと、
前記ビット割付けプロセスが１つ以上の不完全な小数仮数グループを生成する場合、前記ビット割付けプロセスの結果を修正して、各不完全な小数仮数グループを満たすまたは空にすることと、をさらに含む、請求項１０に記載の方法。
【請求項１２】
前記ビット割付けプロセスの結果は、デルタビット割付けを実行することによって修正される、請求項１１に記載の方法。
【請求項１３】
前記実行されたデルタビット割付けは、バックトラッキングアルゴリズムによって決定される、請求項１２に記載の方法。
【請求項１４】
各コピーに関して、各不完全な小数仮数グループを満たすまたは空にすることができない場合、前記各コピーは前記フレームに含まれない、請求項１１に記載の方法。
【請求項１５】
前記関連品質レベルは、指定の信号対雑音比に対応する、請求項１０に記載の方法。
【請求項１６】
前記複数のソースフレームシーケンスを前記ターゲットフレームシーケンスにマージすることは、
ソースフレームに対する信号対雑音比を選択することと、
前記選択された信号対雑音比を有する前記コピーを前記ターゲットフレームシーケンスのターゲットフレームにマージすることと、を含む、請求項１１に記載の方法。
【請求項１７】
前記信号対雑音比は、前記ターゲットフレームシーケンスに対する定ビットレートを維持するように選択される、請求項１６に記載の方法。
【請求項１８】
前記ターゲットフレームは、ＡＣ−３形式である、請求項６に記載の方法。
【請求項１９】
音声信号を符号化するシステムであって、
格納されたプログラムを実行する１以上のプロセッサと、
前記１以上のプロセッサによる実行のための１以上のプログラムを格納するメモリと、
を含み、
前記１つ以上のプログラムは、
複数の独立音声信号を表現するデータであって、音声データの各ソースフレームシーケンスを含む各音声信号を表現するデータにアクセスするための命令であって、前記各ソースフレームシーケンスの各ソースフレームは、前記ソースフレームの前記音声データの複数のコピーを含み、前記ソースフレームの前記音声データの各コピーは、関連品質レベルを有し、各コピーの前記品質レベルは、最高品質レベルから最低品質レベルに及ぶ所定の品質レベル範囲の構成要素である、命令と、
前記ソースフレームシーケンスをターゲットフレームシーケンスにマージするための命令であって、前記ターゲットフレームは、前記ターゲットフレーム内に複数のターゲットチャネルを含む、命令であって、前記マージするための命令は、各ターゲットフレームに対して品質レベルを選択する命令を含み、前記ターゲットフレームは複数の対応ソースフレームを有する、命令と、
前記選択された品質レベルにおける前記複数の対応ソースフレームの前記音声データの前記コピーの各々を、各ターゲットフレーム内の別個のターゲットチャネルの各々に割り当てるための命令と、
を含む、システム。
【請求項２０】
前記ソースフレームの前記音声データの各コピーは、１つ以上の小数仮数グループを含み、各小数仮数グループは完全である、請求項１９に記載のシステム。
【請求項２１】
前記アクセスされたソースフレームシーケンスのうちの第１シーケンスは、非サイレント音声データの連続ソースを含み、前記アクセスされたソースフレームシーケンスのうちの第２シーケンスは、サイレンスを表現する音声データのシーケンスを含む非サイレント音声データのエピソードソースを含む、請求項１９に記載のシステム。
【請求項２２】
前記アクセスされたソースフレームシーケンスのうちの第１シーケンスは、サイレンスを表現する音声データのシーケンスを含む非サイレント音声データの第１エピソードソースを含み、前記アクセスされたソースフレームシーケンスのうちの第２シーケンスは、サイレンスを表現する音声データのシーケンスを含む非サイレント音声データの第２エピソードソースを含む、請求項１９に記載のシステム。
【請求項２３】
前記アクセスされたソースフレームシーケンスのうちの第１シーケンスは、非サイレント音声データの第１連続ソースを含み、前記アクセスされたソースフレームシーケンスのうちの第２シーケンスは、非サイレント音声データの第２連続ソースを含む、請求項１９に記載のシステム。
【請求項２４】
音声信号を符号化するシステムであって、
格納されたプログラムを実行する１以上のプロセッサと、
前記１以上のプロセッサによる実行のための１以上のプログラムを格納するメモリと、
を含み、
前記１以上のプログラムは、
複数の独立ソースから音声データを受信するための命令と、
各独立ソースからの前記音声データを各ソースフレームシーケンスに符合化して、複数の、音声データのソースフレームのシーケンスを作成するための命令であって、各ソースフレームシーケンスの各ソースフレームは、前記ソースフレームの前記音声データの複数のコピーを含み、前記ソースフレームの前記音声データの各コピーは、別個の関連品質レベルを有し、各コピーの前記品質レベルは、最高品質レベルから最低品質レベルに及ぶ所定の品質レベル範囲の構成要素である、命令と、
前記複数のソースフレームのシーケンスをターゲットフレームのシーケンスにマージするための命令であって、前記ターゲットフレームは、前記ターゲットフレーム内に複数の独立ターゲットチャネルを含み、各ソースフレームシーケンスは、前記ターゲットフレーム内の前記複数の独立ターゲットチャネルのうちの１つ以上のターゲットチャネルに一意的に割り当てられる、命令と、
を含む、システム。
【請求項２５】
各独立ソースからの前記音声データは、パルス符号変調ビットストリームである、請求項２４に記載のシステム。
【請求項２６】
前記パルス符号変調ビットストリームは、ＷＡＶ、Ｗ６４、ＡＵ、またはＡＩＦＦファイルである、請求項２５に記載の方法。
【請求項２７】
前記音声データを符号化するための命令は、
各ソースフレームシーケンスのフレームに対して、前記フレームの複数のコピーを生成するための命令を含み、各コピーは、関連品質レベルを有し、各コピーの前記品質レベルは、最高品質レベルから最低品質レベルに及ぶ所定の品質レベル範囲の構成要素である、請求項２４に記載の方法。
【請求項２８】
前記音声データを符号化するための命令は、
各コピーに関して、ビット割付けプロセスを実行するための命令と、
前記ビット割付けプロセスが１つ以上の不完全な小数仮数グループを生成する場合、前記ビット割付けプロセスの結果を修正して、各不完全な小数仮数グループを満たすまたは空にするための命令と、をさらに含む、請求項２７に記載の方法。